(57)【要約】      （修正有）【課題】ユーザの利便性を向上させる管理サーバ、電力管理システム、蓄電装置、及び充電スタンドを提供する。【解決手段】エネルギー管理システムにおいて、管理サーバ１００は、電力生成装置で生成されて電力系統に送出された電気エネルギーに対応する送出情報を取得する情報取得部１０５ａと、送出情報に基づいてエネルギー対価値を算出する対価演算部１０５ｂと、算出されたエネルギー対価値をユーザ管理情報と関連付けて記憶するサーバ記憶部１０３と、電力系統からユーザ管理情報に含まれる電動車両に電気エネルギーが給電された場合、記憶部に記憶されているエネルギー対価値から、電動車両への給電量に基づいて算出された給電値を減算する給電演算部１０５ｃと、を備える。【選択図】図３
2020170418.tif 000002
【特許請求の範囲】
【請求項１】
電力生成装置で生成されて電力系統に送出された電気エネルギーに対応する送出情報を取得する情報取得部と、
前記送出情報に基づいてエネルギー対価値を算出する対価演算部と、
算出された前記エネルギー対価値をユーザ管理情報と関連付けて記憶する記憶部と、
前記電力系統から前記ユーザ管理情報に含まれる電動車両に前記電気エネルギーが給電された場合、前記記憶部に記憶されている前記エネルギー対価値から、前記電動車両への給電量に基づいて算出された給電値を減算する給電演算部と、
を備える管理サーバ。
【請求項２】
前記電力生成装置の電力生成条件、または、前記ユーザ管理情報のステータス条件に応じて異なる付加値を、前記エネルギー対価値に付加する付加演算部をさらに備える請求項１に記載の管理サーバ。
【請求項３】
前記電力生成条件は、前記電力生成装置が再生可能エネルギーに基づいて前記電気エネルギーを生成する第１電力生成条件と、前記電力生成装置が枯渇性エネルギーに基づいて前記電気エネルギーを生成する第２電力生成条件と、を含み、
前記付加演算部は、前記第１電力生成条件の方が、前記第２電力生成条件よりも、前記付加値を大きく設定する請求項２に記載の管理サーバ。
【請求項４】
前記ステータス条件は、前記電動車両の総走行距離が所定距離以上である場合に設定される第１ステータス条件と、前記総走行距離が所定距離未満である場合に設定される第２ステータス条件と、を含み、
前記付加演算部は、前記第１ステータス条件の方が、前記第２ステータス条件よりも、前記付加値を大きく設定する請求項２または３に記載の管理サーバ。
【請求項５】
前記ステータス条件は、同一メーカーにおける車両利用期間が所定期間以上である場合に設定される第１ステータス条件と、前記車両利用期間が所定期間未満である場合に設定される第２ステータス条件と、を含み、
前記付加演算部は、前記第１ステータス条件の方が、前記第２ステータス条件よりも、前記付加値を大きく設定する請求項２〜４のいずれか１項に記載の管理サーバ。
【請求項６】
前記ステータス条件は、貢献度が所定値以上である場合に設定される第１ステータス条件と、前記貢献度が所定値未満である場合に設定される第２ステータス条件と、を含み、
前記付加演算部は、前記第１ステータス条件の方が、前記第２ステータス条件よりも、前記付加値を大きく設定する請求項２〜５のいずれか１項に記載の管理サーバ。
【請求項７】
電気エネルギーを生成する電力生成装置と、
前記電力生成装置によって生成された前記電気エネルギーを蓄電する蓄電装置と、
管理サーバと、
を含み、
前記蓄電装置は、蓄電された前記電気エネルギーに関する情報を前記管理サーバに送信し、
前記管理サーバは、前記蓄電装置から送信された情報に基づいてエネルギー対価値を算出し、算出した前記エネルギー対価値をユーザ管理情報と関連付けて記憶し、電力系統から前記ユーザ管理情報に含まれる電動車両に電気エネルギーが給電された場合、前記記憶されている前記エネルギー対価値から、給電量に対応する給電値を減算する電力管理システム。
【請求項８】
前記電力系統から供給された電気エネルギーを前記電動車両に供給する充電スタンドをさらに含み、
前記充電スタンドは、前記電動車両への給電を完了すると給電完了情報を生成し、生成した給電完了情報を前記管理サーバに送信し、
前記管理サーバは、前記充電スタンドから送信された前記給電完了情報に基づいて前記記憶されている前記エネルギー対価値から、前記給電量に対応する前記給電値を減算する請求項７に記載の電力管理システム。
【請求項９】
前記給電完了情報には、前記電動車両に給電された前記給電量に関する情報、および、情報媒体から取得したユーザに関する情報が含まれる請求項８に記載の電力管理システム。
【請求項１０】
電力生成装置によって生成された電気エネルギーに関する情報を生成する電力情報生成部と、
前記生成された電気エネルギーに関する情報に基づいて、電力系統に出力する電気エネルギーの出力量を制御する出力制御部と、
前記生成された電気エネルギーに関する情報を、蓄電記憶部に記憶させると共に管理サーバに出力する情報制御部と、
を備える蓄電装置。
【請求項１１】
電力系統から供給される電気エネルギーを用いて、電動車両に給電する給電処理を実行する給電部と、
情報媒体を読み込み、読み込んだ前記情報媒体からユーザに関する情報を取得する情報取得部と、
前記給電部による給電が完了すると給電完了情報を生成する情報生成部と、
前記情報生成部によって生成された前記給電完了情報、および、前記情報取得部によって取得された前記ユーザに関する情報を管理サーバに送信する情報送信部と、
を備える充電スタンド。
【発明の詳細な説明】
【技術分野】
【０００１】
本発明は、管理サーバ、電力管理システム、蓄電装置、及び充電スタンドに関する。
【背景技術】
【０００２】
特許文献１には、ユーザが管理している蓄電装置に蓄電された電気エネルギーを売電可能な管理サーバについて開示がある。ユーザは、売電した電気エネルギーに相当する対価を請求する債権を得ることができる。
【先行技術文献】
【特許文献】
【０００３】
【特許文献１】特開２０１１−１８６７２１号公報
【発明の概要】
【発明が解決しようとする課題】
【０００４】
しかし、ユーザは、例えば、電力会社に対し債権を請求しないと、売電した電気エネルギーに相当する対価を利用することができず、利便性に優れなかった。
【０００５】
本発明は、ユーザの利便性を向上させることが可能な管理サーバ、電力管理システム、蓄電装置、及び充電スタンドを提供することを目的とする。
【課題を解決するための手段】
【０００６】
上記課題を解決するために、本発明の一側面としての管理サーバは、電力生成装置で生成されて電力系統に送出された電気エネルギーに対応する送出情報を取得する情報取得部と、送出情報に基づいてエネルギー対価値を算出する対価演算部と、算出されたエネルギー対価値をユーザ管理情報と関連付けて記憶する記憶部と、電力系統からユーザ管理情報に含まれる電動車両に電気エネルギーが給電された場合、記憶部に記憶されているエネルギー対価値から、電動車両への給電量に基づいて算出された給電値を減算する給電演算部と、を備える。
【０００７】
電力生成装置の電力生成条件、または、ユーザ管理情報のステータス条件に応じて異なる付加値を、エネルギー対価値に付加する付加演算部をさらに備えてもよい。
【０００８】
電力生成条件は、電力生成装置が再生可能エネルギーに基づいて電気エネルギーを生成する第１電力生成条件と、電力生成装置が枯渇性エネルギーに基づいて電気エネルギーを生成する第２電力生成条件と、を含み、付加演算部は、第１電力生成条件の方が、第２電力生成条件よりも、付加値を大きく設定してもよい。
【０００９】
ステータス条件は、電動車両の総走行距離が所定距離以上である場合に設定される第１ステータス条件と、総走行距離が所定距離未満である場合に設定される第２ステータス条件と、を含み、付加演算部は、第１ステータス条件の方が、第２ステータス条件よりも、付加値を大きく設定してもよい。
【００１０】
ステータス条件は、同一メーカーにおける車両利用期間が所定期間以上である場合に設定される第１ステータス条件と、車両利用期間が所定期間未満である場合に設定される第２ステータス条件と、を含み、付加演算部は、第１ステータス条件の方が、第２ステータス条件よりも、付加値を大きく設定してもよい。
【００１１】
ステータス条件は、貢献度が所定値以上である場合に設定される第１ステータス条件と、貢献度が所定値未満である場合に設定される第２ステータス条件と、を含み、付加演算部は、第１ステータス条件の方が、第２ステータス条件よりも、付加値を大きく設定してもよい。
【００１２】
上記課題を解決するために、本発明の他の側面としての電力管理システムは、電気エネルギーを生成する電力生成装置と、電力生成装置によって生成された電気エネルギーを蓄電する蓄電装置と、管理サーバと、を含み、蓄電装置は、蓄電された電気エネルギーに関する情報を管理サーバに送信し、管理サーバは、蓄電装置から送信された情報に基づいてエネルギー対価値を算出し、算出したエネルギー対価値をユーザ管理情報と関連付けて記憶し、電力系統からユーザ管理情報に含まれる電動車両に電気エネルギーが給電された場合、記憶されているエネルギー対価値から、給電量に対応する給電値を減算する。
【００１３】
電力系統から供給された電気エネルギーを電動車両に供給する充電スタンドをさらに含み、充電スタンドは、電動車両への給電を完了すると給電完了情報を生成し、生成した給電完了情報を管理サーバに送信し、管理サーバは、充電スタンドから送信された給電完了情報に基づいて記憶されているエネルギー対価値から、給電量に対応する給電値を減算してもよい。
【００１４】
給電完了情報には、電動車両に給電された給電量に関する情報、および、情報媒体から取得したユーザに関する情報が含まれていてもよい。
【００１５】
上記課題を解決するために、本発明の他の側面としての蓄電装置は、電力生成装置によって生成された電気エネルギーに関する情報を生成する電力情報生成部と、生成された電気エネルギーに関する情報に基づいて、電力系統に出力する電気エネルギーの出力量を制御する出力制御部と、生成された電気エネルギーに関する情報を、蓄電記憶部に記憶させると共に管理サーバに出力する情報制御部と、を備える。
【００１６】
上記課題を解決するために、本発明の他の側面としての充電スタンドは、電力系統から供給される電気エネルギーを用いて、電動車両に給電する給電処理を実行する給電部と、情報媒体を読み込み、読み込んだ情報媒体からユーザに関する情報を取得する情報取得部と、給電部による給電が完了すると給電完了情報を生成する情報生成部と、情報生成部によって生成された給電完了情報、および、情報取得部によって取得されたユーザに関する情報を管理サーバに送信する情報送信部と、を備える。
【発明の効果】
【００１７】
本発明によれば、ユーザの利便性を向上させることが可能となる。
【図面の簡単な説明】
【００１８】
【図１】図１は、エネルギー管理システム（電力管理システム）の構成を説明するための図である。
【図２】図２は、蓄電装置の構成を示す概略ブロック図である。
【図３】図３は、管理サーバの構成を示す概略ブロック図である。
【図４】図４は、情報端末の構成を示す概略ブロック図である。
【図５】図５は、本実施形態のエネルギー管理システムにおける処理の流れを説明するための図である。
【図６】図６は、算出処理の流れを説明するフローチャート図である。
【発明を実施するための形態】
【００１９】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２０】
図１は、エネルギー管理システム（電力管理システム）１の構成を説明するための図である。図１では、電力の流れを実線矢印で示し、信号の流れを破線矢印で示す。図１に示すように、エネルギー管理システム１は、電力生成装置１０と、蓄電装置２０と、電力系統３０と、充電スタンド４０と、電動車両５０と、情報端末６０と、通信基地局７０ａを有する通信網７０と、管理サーバ１００とを含んで構成される。
【００２１】
電力生成装置１０は、ユーザにより管理され、例えば、ユーザ宅ＵＨに設けられる。電力生成装置１０は、第１電力生成部１０ａと、第２電力生成部１０ｂと、を含んで構成される。本実施形態では、電力生成装置１０は、第１電力生成部１０ａおよび第２電力生成部１０ｂで構成される例について説明するが、これに限定されず、電力生成装置１０は、第１電力生成部１０ａおよび第２電力生成部１０ｂのいずれか一方のみで構成されてもよい。つまり、電力生成装置１０は、第１電力生成部１０ａのみで構成されてもよいし、第２電力生成部１０ｂのみで構成されてもよい。
【００２２】
第１電力生成部１０ａは、例えば、太陽光発電、風力発電、水力発電等の再生可能エネルギーに基づいて電気エネルギーを生成する。第２電力生成部１０ｂは、例えば、石油、石炭、天然ガス等の枯渇性エネルギーに基づいて電気エネルギーを生成する。このように、電力生成装置１０は、電気エネルギーを生成することができる。
【００２３】
蓄電装置２０は、ユーザにより管理され、例えば、ユーザ宅ＵＨに設けられる。蓄電装置２０は、第１電力生成部１０ａおよび第２電力生成部１０ｂにより生成された電気エネルギーを蓄電する。
【００２４】
電力系統３０は、ユーザ宅ＵＨ（蓄電装置２０）および充電スタンド４０に電気エネルギーを供給する。また、電力系統３０は、後述するように蓄電装置２０から電気エネルギーが供給される。
【００２５】
充電スタンド４０は、例えば、充電ステーションＣＳに設けられる。本実施形態では、充電ステーションＣＳは、ユーザ宅ＵＨから離隔した離隔地に配される。充電スタンド４０は、給電部４２と、情報取得部４４と、情報生成部４６と、情報送信部４８とを含んで構成される。
【００２６】
給電部４２は、充電ケーブル４２ａを備える。給電部４２は、充電ケーブル４２ａを介して電動車両５０に接続されることで、電動車両５０と電気的に接続される。ただし、これに限定されず、給電部４２は、電動車両５０と非接触で電気的に接続されてもよい。給電部４２は、電力系統３０から供給される電気エネルギーを電動車両５０に供給（給電）する。
【００２７】
情報取得部４４は、ユーザのクレジットカードや会員カード等の情報媒体を読み込み、情報媒体からユーザに関する情報（個人情報）を取得する。また、情報取得部４４は、電動車両５０と電気的に接続された際に、電動車両５０に関する情報を取得する。情報生成部４６は、給電部４２による給電が完了した場合に、後述する給電完了情報を生成する。情報送信部４８は、情報取得部４４によって取得された情報および情報生成部４６によって生成された情報を管理サーバ１００に送信する。
【００２８】
電動車両５０は、少なくとも走行モータを備え、電気エネルギーにより走行可能な車両である。本実施形態では、電動車両５０は、不図示のエンジン、および、走行モータを動力源として走行するハイブリッド自動車で構成される。ただし、電動車両５０は、走行モータのみで走行する電気自動車であってもよい。なお、電動車両５０は、本実施形態ではユーザの所有物である。
【００２９】
情報端末６０は、通信基地局７０ａおよび通信網７０を介して管理サーバ１００との通信を確立することができ、専用の画像を表示可能な電子機器を広く含む。情報端末６０としては、例えば、スマートフォン、携帯電話、パーソナルコンピュータ、専用端末、さらには、ナビゲーションシステムを有する車両情報端末等が挙げられる。本実施形態では、情報端末６０として、スマートフォンが用いられる場合について説明する。なお、情報端末６０は、本実施形態ではユーザの所有物である。
【００３０】
通信基地局７０ａは、通信網７０と接続され、情報端末６０と無線により情報の送受信を行う。通信基地局７０ａは、情報端末６０から無線により送信された情報を、通信網７０を介して管理サーバ１００に送信する。また、通信基地局７０ａは、管理サーバ１００で生成された情報を情報端末６０に送信する。通信網７０は、携帯電話網、インターネット、ＬＡＮ（Local Area Network）、専用回線等で構成され、通信基地局７０ａを介して情報端末６０と管理サーバ１００との通信を接続する。
【００３１】
管理サーバ１００は、ユーザに関するさまざまな情報（以下、ユーザ管理情報という）を管理する。管理サーバ１００は、蓄電装置２０および充電スタンド４０から入力された情報を管理する。詳しくは後述するが、管理サーバ１００は、蓄電装置２０および充電スタンド４０から入力された情報に基づいて、ユーザ管理情報を更新制御する。
【００３２】
図２は、蓄電装置２０の構成を示す概略ブロック図である。図２に示すように、蓄電装置２０は、蓄電通信部２１と、蓄電記憶部２３と、蓄電制御部２５とを備える。
【００３３】
蓄電通信部２１は、管理サーバ１００への情報の出力、および、管理サーバ１００からの情報の入力に係る処理を行う。
【００３４】
蓄電記憶部２３は、蓄電装置２０に蓄電された電気エネルギーに関する情報を記憶する。例えば、蓄電記憶部２３は、第１電力生成部１０ａおよび第２電力生成部１０ｂにより生成された電気エネルギーに関する情報（生成元となる動力の種類、電力量等）を記憶する。具体的に、蓄電記憶部２３は、電気エネルギーの生成元となる動力の種類（例えば、太陽光や石油等）、および、生成した電力量に関する情報を記憶する。
【００３５】
蓄電制御部２５は、蓄電装置２０の全体を制御し、蓄電装置２０に蓄電された電気エネルギーを外部に出力する際の制御、および、外部から蓄電装置２０に電気エネルギーを入力する際の制御に係る処理を行う。蓄電制御部２５は、電力測定部２５ａと、送受電制御部２５ｂとして機能する。
【００３６】
電力測定部２５ａは、外部から蓄電装置２０に入力された電気エネルギー（電力量）を測定する。例えば、電力測定部２５ａは、第１電力生成部１０ａおよび第２電力生成部１０ｂから蓄電装置２０に入力された電気エネルギー（電力量）を測定する。このとき、電力測定部２５ａは、蓄電装置２０に入力された電気エネルギーに関する情報（以下、入力情報という）を生成する。つまり、電力測定部２５ａは、電力生成装置１０によって生成された電気エネルギーに関する情報（生成元となる動力の種類、電力量等）を生成する電力情報生成部として機能する。具体的に、電力測定部２５ａは、入力された電気エネルギーが、例えば、太陽光発電により生成された電気エネルギーである場合、生成元となる動力の種類に関する情報（すなわち、太陽光）、および、生成した電力量に関する情報（例えば、１００Ｗｈ）を入力情報として生成する。
【００３７】
また、電力測定部２５ａは、蓄電装置２０が蓄電する電気エネルギーに関する情報（以下、蓄電情報という）を生成する。例えば、電力測定部２５ａは、蓄電装置２０に蓄電される蓄電量（電力量）を測定し、蓄電量に関する情報を蓄電情報として生成する。
【００３８】
また、電力測定部２５ａは、蓄電装置２０から外部に送出した電気エネルギー（電力量）を測定する。例えば、電力測定部２５ａは、蓄電装置２０から電力系統３０に送出した電気エネルギー（電力量）を測定する。このとき、電力測定部２５ａは、電力系統３０に送出した電気エネルギーに対応する情報（以下、送出情報という）を生成する。具体的に、電力測定部２５ａは、電力系統３０に送出した電気エネルギーの生成元となる動力の種類に関する情報（例えば、太陽光）、および、送出した電力量に関する情報（例えば、１００Ｗｈ）を送出情報として生成する。
【００３９】
送受電制御部２５ｂは、電力測定部２５ａにより生成された電気エネルギーに関する情報（すなわち、入力情報、蓄電情報、送出情報）に基づいて、蓄電装置２０から外部（電力系統３０）に出力する電気エネルギーの出力量を制御する。このように、送受電制御部２５ｂは、蓄電装置２０から外部（電力系統３０）に出力する電気エネルギーの出力量を制御する出力制御部として機能する。
【００４０】
また、送受電制御部２５ｂは、電力測定部２５ａにより生成された電気エネルギーに関する情報（すなわち、入力情報、蓄電情報、送出情報）を、蓄電記憶部２３に記憶させると同時に管理サーバ１００に出力する。このように、送受電制御部２５ｂは、電力測定部２５ａにより生成された電気エネルギーに関する情報（入力情報、蓄電情報、送出情報）を制御する情報制御部として機能する。
【００４１】
図３は、管理サーバ１００の構成を示す概略ブロック図である。図３に示すように、管理サーバ１００は、サーバ通信部１０１と、サーバ記憶部１０３と、サーバ制御部１０５とを備える。
【００４２】
サーバ通信部１０１は、蓄電装置２０と、充電スタンド４０と、情報端末６０への情報の出力、および、蓄電装置２０と、充電スタンド４０と、情報端末６０からの情報の入力に係る処理を行う。
【００４３】
サーバ記憶部１０３には、各ユーザのユーザ管理情報が記憶される。ユーザ管理情報は、例えば、ユーザ自身（個人）に関する情報、ユーザが所有（管理）する電力生成装置１０に関する情報、ユーザが所有（管理）する蓄電装置２０に関する情報、ユーザが所有（管理）する車両（電動車両５０）に関する情報、ユーザが所有（管理）する情報端末６０に関する情報、ユーザの世帯に関する情報など、さまざまな情報が含まれる。ユーザ自身に関する情報は、ユーザの個人情報、ユーザが保有するポイント保有値に関する情報、ユーザのステータス情報（ステータス条件）、ユーザの貢献度に関する情報などが含まれる。
【００４４】
サーバ記憶部１０３は、蓄電装置２０、充電スタンド４０、情報端末６０から取得した情報を、ユーザ管理情報と関連付けて記憶する。例えば、サーバ記憶部１０３は、第１電力生成部１０ａおよび第２電力生成部１０ｂにより生成された電気エネルギーに関する情報（生成元となる動力の種類、電力量等）、および、蓄電装置２０に蓄電される電力量を、ユーザ管理情報と関連付けて記憶する。また、サーバ記憶部１０３は、後述するように、サーバ制御部１０５で算出された情報をユーザ管理情報と関連付けて記憶する。
【００４５】
サーバ制御部１０５は、管理サーバ１００の全体を制御し、後述するように、ユーザ管理情報の更新制御を行う。サーバ制御部１０５は、情報取得部１０５ａと、対価演算部１０５ｂと、給電演算部１０５ｃと、付加演算部１０５ｄとして機能する。
【００４６】
情報取得部１０５ａは、蓄電装置２０から出力された情報（すなわち、電気エネルギーに関する情報（入力情報、蓄電情報、送出情報））、および、充電スタンド４０から出力された情報（後述するユーザの個人情報、給電完了情報等）を取得する。
【００４７】
対価演算部１０５ｂは、蓄電装置２０から出力された情報に基づいて、エネルギー対価値を算出する。具体的に、対価演算部１０５ｂは、情報取得部１０５ａにより取得された入力情報に基づいて、電力生成装置１０から蓄電装置２０に入力された電気エネルギーに相当するエネルギー対価値を算出する。また、対価演算部１０５ｂは、情報取得部１０５ａにより取得された蓄電情報に基づいて、蓄電装置２０に蓄電された電気エネルギーに相当するエネルギー対価値を算出する。また、対価演算部１０５ｂは、情報取得部１０５ａにより取得された送出情報に基づいて、蓄電装置２０から電力系統３０に送出した電気エネルギーに相当するエネルギー対価値を算出する。対価演算部１０５ｂは、算出したエネルギー対価値を、ユーザ管理情報と関連付けてサーバ記憶部１０３に記憶させる。
【００４８】
給電演算部１０５ｃは、情報取得部１０５ａにより取得された給電完了情報に基づいて、電力系統３０から電動車両５０に電気エネルギーを給電した場合、サーバ記憶部１０３に記憶されているエネルギー対価値から、給電量に対応する給電値を減算する。
【００４９】
付加演算部１０５ｄは、サーバ記憶部１０３に記憶されているエネルギー対価値に付加値を付加する。この付加値は、詳細については後述するが、電力生成装置１０の電力生成条件、または、ユーザのステータス条件（ステータス情報）に応じて異なる値が設定される。
【００５０】
図４は、情報端末６０の構成を示す概略ブロック図である。図４に示すように、情報端末６０は、端末表示部６１と、端末操作部６３と、端末通信部６５と、端末記憶部６７と、端末制御部６９とを備える。
【００５１】
端末表示部６１は、液晶ディスプレイで構成され、端末制御部６９の制御によってさまざまな画像が表示される。
【００５２】
端末操作部６３は、情報端末６０の操作を受け付けるものであり、ボタンや端末表示部６１に設けられるタッチパネル、あるいはこれらの組み合わせで構成される。ここでは、端末操作部６３がタッチパネルで構成される場合について説明する。ただし、端末操作部６３は、ユーザの操作を受け付けることができれば、その構成は特に限定されるものではない。
【００５３】
端末通信部６５は、通信基地局７０ａへの情報の出力、および、通信基地局７０ａからの情報の入力に係る処理を行う。
【００５４】
端末記憶部６７は、端末操作部６３により操作（入力）された情報、および、管理サーバ１００から出力された情報を記憶する。
【００５５】
端末制御部６９は、情報端末６０の全体を制御し、ユーザの入力指示に応じて管理サーバ１００に指示情報を送信する。端末制御部６９は、情報取得部６９ａと、表示制御部６９ｂと、入力制御部６９ｃとして機能する。
【００５６】
情報取得部６９ａは、管理サーバ１００から出力された情報を取得し、端末記憶部６７に記憶させる。
【００５７】
表示制御部６９ｂは、端末表示部６１における画像の表示制御を行う。
【００５８】
入力制御部６９ｃは、ユーザが端末操作部６３を操作した際に、ユーザの入力指示に応じて指示情報を生成し、生成した指示情報を管理サーバ１００に送信する。
【００５９】
以下、エネルギー管理システム１における具体的な処理の流れについて説明する。図５は、本実施形態のエネルギー管理システム１における処理の流れを説明するための図である。ここでは、ユーザがユーザ宅ＵＨから電動車両５０に乗り、充電ステーションＣＳまで移動しているものとする。
【００６０】
蓄電装置２０は、蓄電記憶部２３に記憶される情報を参照し、蓄電装置２０に蓄電された電気エネルギーが所定量以上であるか否か判定する。ここで、所定量は、予め設定されている任意の値でもよいし、ユーザにより設定された任意の値でもよい。
【００６１】
蓄電装置２０は、蓄電された電気エネルギーが所定量未満である場合、蓄電装置２０に電気エネルギーを蓄電する蓄電処理を行う。一方、蓄電装置２０は、蓄電された電気エネルギーが所定量以上である場合、蓄電した電気エネルギーを電力系統３０に送出する売電処理（送電処理）を実行する（ステップＳ１０１）。
【００６２】
このとき、電力測定部２５ａは、蓄電装置２０から電力系統３０に送出する電気エネルギー（電力量）を測定する。また、電力測定部２５ａは、電力系統３０に送出した電気エネルギーの生成元となる動力の種類に関する情報（例えば、太陽光）、および、送出した電力量に関する情報（例えば、１００Ｗｈ）を送出情報として生成する。
【００６３】
送受電制御部２５ｂは、蓄電装置２０に蓄電された電気エネルギーが所定量未満になると、売電完了情報を生成し、生成した売電完了情報を管理サーバ１００に送信する。ここで、売電完了情報には、電力測定部２５ａにより生成された送出情報が含まれる。
【００６４】
充電スタンド４０は、ユーザによる操作（給電指示）を受け、電力系統３０から供給される電気エネルギーを用いて、電動車両５０に給電する給電処理を実行する（ステップＳ１０３）。このとき、ユーザは、充電スタンド４０に対し、クレジットカードや会員カード等の情報媒体を読み込ませ、充電スタンド４０は、情報媒体からユーザに関する情報（個人情報）と、電動車両５０に関する情報とを取得する。
【００６５】
充電スタンド４０は、ユーザからの給電指示に含まれる電力量（給電量）だけ電動車両５０に給電すると（すなわち、電動車両５０への給電が完了すると）、給電完了情報を生成し、生成した給電完了情報を管理サーバ１００に送信する。ここで、給電完了情報には、電動車両５０に関する情報、電動車両５０に給電された給電量に関する情報（給電情報）、および、情報媒体から取得したユーザに関する情報（個人情報）が含まれる。なお、給電完了情報において、給電情報は、ユーザに関する情報（個人情報）と関連付けられている。
【００６６】
管理サーバ１００は、蓄電装置２０から売電完了情報、および、充電スタンド４０から給電完了情報を受信すると、売電完了情報および給電完了情報をサーバ記憶部１０３に記憶し、以下で説明する算出処理を実行する（ステップＳ１０５）。
【００６７】
図６は、算出処理の流れを説明するフローチャート図である。図６に示すように、まず、情報取得部１０５ａは、サーバ記憶部１０３に記憶された送出情報を取得する（ステップＳ２０１）。送出情報は、上述したように、蓄電装置２０から電力系統３０に送出した電気エネルギーの生成元となる動力の種類に関する情報、および、送出した電力量に関する情報を含んでいる。
【００６８】
対価演算部１０５ｂは、送出情報に基づいて、電力系統３０に送電した電気エネルギーに相当するエネルギー対価値（ポイント値）を算出する（ステップＳ２０３）。ここで、エネルギー対価値は、電力系統３０に送電した電力量（ｋＷｈ）を用いて算出可能である。本実施形態では、例えば、エネルギー対価値は、電力量「１ｋＷｈ」に対し、「１ポイント」として設定され、電力系統３０に送電した電力量が「１００ｋＷｈ」である場合、エネルギー対価値は「１００ポイント」として算出される。
【００６９】
対価演算部１０５ｂは、エネルギー対価値を算出すると、算出したエネルギー対価値に関する情報をサーバ記憶部１０３に記憶させる。このとき、対価演算部１０５ｂは、算出したエネルギー対価値をユーザ管理情報に関連付けて記憶させる。
【００７０】
なお、エネルギー対価値は、ユーザが保有するポイント保有値と同質のものであり、ポイント保有値に対し加算または減算することができる。したがって、対価演算部１０５ｂは、算出したエネルギー対価値をユーザ管理情報と関連付けてサーバ記憶部１０３に記憶させる際に、ユーザが保有するポイント保有値にエネルギー対価値を加算してサーバ記憶部１０３に記憶させてもよい。
【００７１】
付加演算部１０５ｄは、サーバ記憶部１０３に記憶された送出情報、あるいは、ユーザ管理情報に基づいて、付加値を設定する（ステップＳ２０５）。具体的に、付加演算部１０５ｄは、送出情報に含まれる、電力系統３０に送出した電気エネルギーの生成元となる動力の種類に関する情報に基づいて、付加値を設定する。ここで、付加演算部１０５ｄは、電気エネルギーの生成元となる動力の種類（電力生成条件）に応じて異なる付加値を設定する。
【００７２】
例えば、付加演算部１０５ｄは、電気エネルギーの生成元となる動力の種類が再生可能エネルギー（例えば、太陽光、風力、水力等）である場合、「第１電力生成条件」により電気エネルギーが生成されたと判定する。また、付加演算部１０５ｄは、電気エネルギーの生成元となる動力の種類が枯渇性エネルギー（例えば、石油、石炭、天然ガス等）である場合、「第２電力生成条件」により電気エネルギーが生成されたと判定する。
【００７３】
ここで、付加演算部１０５ｄは、「第１電力生成条件」の方が、「第２電力生成条件」よりも、付加値を大きく設定する。例えば、付加演算部１０５ｄは、電力生成装置１０の電力生成条件が「第１電力生成条件」である場合、付加値として「１０ポイント」を設定し、「第２電力生成条件」である場合、付加値として「０ポイント」を設定する。つまり、付加演算部１０５ｄは、電気エネルギーを生成する際に排出される有害物質の排出量が少ないクリーンなエネルギーほど、付加値として大きい値を設定する。
【００７４】
上記では、付加演算部１０５ｄが電力生成条件に応じて異なる付加値を設定する例について説明したが、これに限定されず、付加演算部１０５ｄは、ユーザ管理情報のステータス条件（ステータス情報）に応じて異なる付加値を設定してもよい。具体的に、付加演算部１０５ｄは、ユーザが所有する車両（電動車両５０）の総走行距離に基づいて、異なる付加値を設定してもよい。
【００７５】
例えば、付加演算部１０５ｄは、車両の総走行距離が所定距離以上（例えば、１０万ｋｍ以上）である場合、ユーザが「第１ステータス条件」を満たしていると判定する。また、付加演算部１０５ｄは、車両の総走行距離が所定距離未満（例えば、１０万ｋｍ未満）である場合、ユーザが「第２ステータス条件」を満たしていると判定する。
【００７６】
ここで、付加演算部１０５ｄは、「第１ステータス条件」の方が、「第２ステータス条件」よりも、付加値を大きく設定する。例えば、付加演算部１０５ｄは、ユーザが「第１ステータス条件」を満たしている場合、付加値として「１０ポイント」を設定し、ユーザが「第２ステータス条件」を満たしている場合、付加値として「０ポイント」を設定する。つまり、付加演算部１０５ｄは、ユーザの総走行距離が大きくなるほど、付加値として大きい値を設定する。
【００７７】
他の例では、付加演算部１０５ｄは、同一メーカーにおける車両利用期間に基づいて、異なる付加値を設定してもよい。例えば、付加演算部１０５ｄは、車両利用期間が所定期間以上（例えば、１０年以上）である場合、ユーザが「第１ステータス条件」を満たしていると判定する。また、付加演算部１０５ｄは、車両利用期間が所定期間未満（例えば、１０年未満）である場合、ユーザが「第２ステータス条件」を満たしていると判定する。
【００７８】
ここで、付加演算部１０５ｄは、「第１ステータス条件」の方が、「第２ステータス条件」よりも、付加値を大きく設定する。例えば、付加演算部１０５ｄは、ユーザが「第１ステータス条件」を満たしている場合、付加値として「１０ポイント」を設定し、ユーザが「第２ステータス条件」を満たしている場合、付加値として「０ポイント」を設定する。つまり、付加演算部１０５ｄは、ユーザの同一メーカーにおける車両利用期間が長くなるほど、付加値として大きい値を設定する。
【００７９】
他の例では、付加演算部１０５ｄは、ユーザの貢献度に基づいて、異なる付加値を設定してもよい。例えば、付加演算部１０５ｄは、ユーザの貢献度が所定値以上である場合、ユーザが「第１ステータス条件」を満たしていると判定する。また、付加演算部１０５ｄは、ユーザの貢献度が所定値未満である場合、ユーザが「第２ステータス条件」を満たしていると判定する。この貢献度は、ユーザの行動に応じて変動する値である。例えば、貢献度は、メーカーが実施するアンケートにユーザが回答することや、実験に協力すること、または他のユーザを援助したことで上昇する。
【００８０】
付加演算部１０５ｄは、「第１ステータス条件」の方が、「第２ステータス条件」よりも、付加値を大きく設定する。例えば、付加演算部１０５ｄは、ユーザが「第１ステータス条件」を満たしている場合、付加値として「１０ポイント」を設定し、ユーザが「第２ステータス条件」を満たしている場合、付加値として「０ポイント」を設定する。つまり、付加演算部１０５ｄは、ユーザの貢献度が大きいほど、付加値として大きい値を設定する。
【００８１】
なお、付加演算部１０５ｄは、ユーザが「第１ステータス条件」と「第２ステータス条件」の両方の条件を満たしている場合、「第１ステータス条件」を優先するように判定する。例えば、ユーザが所有する車両の総走行距離が１５万ｋｍ（すなわち、１０万ｋｍ以上）であり、同一メーカーにおける車両利用期間が５年（すなわち、１０年未満）である場合、付加演算部１０５ｄは、ユーザが「第１ステータス条件」を満たしているものと判定する。
【００８２】
上述したように、付加値が設定されると、付加演算部１０５ｄは、サーバ記憶部１０３からエネルギー対価値を読み込む。付加演算部１０５ｄは、読み込んだエネルギー対価値に対し、設定した付加値を付加（加算）して、付加値を付加したエネルギー対価値をサーバ記憶部１０３に記憶させる。このとき、付加演算部１０５ｄは、付加値を付加したエネルギー対価値をユーザ管理情報に関連付けて記憶させる。なお、付加演算部１０５ｄは、エネルギー対価値をサーバ記憶部１０３に記憶させる際に、ユーザが保有するポイント保有値にエネルギー対価値および付加値を加算してサーバ記憶部１０３に記憶させてもよい。
【００８３】
給電演算部１０５ｃは、サーバ記憶部１０３から給電完了情報（給電情報）およびエネルギー対価値を読み込む。給電演算部１０５ｃは、読み込んだ給電情報に基づいて、充電スタンド４０（電力系統３０）からユーザ管理情報に含まれる電動車両５０に電気エネルギーが給電された給電量に対応する給電値を算出する。
【００８４】
給電演算部１０５ｃは、読み込んだエネルギー対価値に対し、電動車両５０への給電量に基づいて算出された給電値を減算する（ステップＳ２０７）。給電演算部１０５ｃは、給電値を減算したエネルギー対価値をサーバ記憶部１０３に記憶させる。このとき、給電演算部１０５ｃは、給電値を減算したエネルギー対価値をユーザ管理情報に関連付けて記憶させる。なお、給電演算部１０５ｃは、エネルギー対価値をサーバ記憶部１０３に記憶させる際に、ユーザが保有するポイント保有値に減算されたエネルギー対価値を加算してサーバ記憶部１０３に記憶させてもよい。
【００８５】
図５に戻り、管理サーバ１００は、算出処理が終了すると、ユーザ更新情報を生成し、生成したユーザ更新情報を情報端末６０に送信する。このユーザ更新情報は、サーバ制御部１０５により更新されたユーザ管理情報である。したがって、ユーザ更新情報には、サーバ制御部１０５で算出された情報、例えば、エネルギー対価値、付加値、給電値、ユーザの更新されたポイント保有値（すなわち、エネルギー対価値に付加値が加算された、あるいは、給電値が減算されたポイント保有値）等の情報が含まれる。
【００８６】
情報端末６０は、管理サーバ１００からユーザ更新情報を受信すると、端末表示部６１にユーザ更新情報を表示させる。
【００８７】
本実施形態によれば、管理サーバ１００は、売電した電気エネルギーに対応するエネルギー対価値を算出する対価演算部１０５ｂを備えている。また、算出したエネルギー対価値に対し、給電量に対応する給電値を減算する給電演算部１０５ｃを備えている。そのため、売電した電気エネルギーに相当する対価をリアルタイムで利用することができ、ユーザの利便性を向上させることができる。
【００８８】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８９】
例えば、コンピュータを管理サーバ１００として機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供可能である。
【００９０】
上記実施形態では、管理サーバ１００が付加演算部１０５ｄを備える例について説明した。しかし、付加演算部１０５ｄは、管理サーバ１００に必須の構成ではなく、管理サーバ１００は付加演算部１０５ｄを備えていなくてもよい。
【００９１】
上記実施形態では、対価演算部１０５ｂが電力系統３０に送電した電気エネルギーに基づいてエネルギー対価値を算出する例について説明した。しかし、これに限定されず、対価演算部１０５ｂは、例えば、電力生成装置１０から蓄電装置２０に入力される電気エネルギーに基づいてエネルギー対価値を算出してもよいし、蓄電装置２０に蓄電される電気エネルギーに基づいてエネルギー対価値を算出してもよい。その場合、給電演算部１０５ｃは、蓄電装置２０に入力される電気エネルギーや蓄電される電気エネルギーに基づいて算出されたエネルギー対価値に対し、給電値を減算してもよい。
【００９２】
上記実施形態では、付加演算部１０５ｄがサーバ記憶部１０３に記憶された送出情報に基づいて付加値を設定する例について説明した。しかし、これに限定されず、付加演算部１０５ｄは、例えば、サーバ記憶部１０３に記憶された入力情報や蓄電情報に基づいて付加値を設定してもよい。
【符号の説明】
【００９３】
１０  電力生成装置
３０  電力系統
５０  電動車両
１００  管理サーバ
１０３  サーバ記憶部
１０５ａ  情報取得部
１０５ｂ  対価演算部
１０５ｃ  給電演算部
１０５ｄ  付加演算部
【図１】
2020170418.tif 000003
【図２】
2020170418.tif 000004
【図３】
2020170418.tif 000005
【図４】
2020170418.tif 000006
【図５】
2020170418.tif 000007
【図６】
2020170418.tif 000008